【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
一又は複数のネットワーク上でデータを共有するためのシステムであって、
一又は複数のネットワークと通信するストレージエリアネットワークと、
第１のストレージネットワーク接続を介してストレージエリアネットワークとのデータの双方向伝送の経路指定を行う第１のコンポーネントと、
第２のストレージネットワーク接続を介してストレージエリアネットワークとのデータの双方向伝送の経路指定を行う第２のコンポーネントと、
第１及び第２のコンポーネントとストレージエリアネットワークとの間におけるデータの経路指定を制御するゲートウェイコンポーネントと、
データからメタデータを分離し、このメタデータを第１のデータベースに保存し、そしてメタデータを含まないデータを第２のデータベースに保存するメタデータコントローラと
を備えるシステム。
【請求項２】
メタデータコントローラが、メタデータを暗号化して、第２のデータベースから分離した第１のデータベースにこのメタデータを保存するものであり、第１のデータベースはメタデータデータベースを含んでいる、請求項１に記載のシステム。
【請求項３】
メタデータコントローラが、メタデータを含まないデータを暗号化して、第１のデータベースから分離した第２のデータベースにこのデータを保存する、請求項１に記載のシステム。
【請求項４】
メタデータコントローラと、第１のコンポーネント、第２のコンポーネント、第１のデータベース、及び第２のデータベースのうちの一又は複数との間におけるデータの経路指定を行うチャネル切替えメカニズムを更に備えている、請求項１に記載のシステム。
【請求項５】
チャネル切り替えメカニズムが、メタデータコントローラによって制御される一又は複数の共有ストレージネットワークポートを備えており、この共有ストレージネットワークポートの使用がメタデータコントローラによってモニタリングされる、請求項４に記載のシステム。
【請求項６】
共有ストレージネットワークポートは、メタデータコントローラによってオンにされて使用可能となり、使用しないときはメタデータコントローラによってオフにされる、請求項５に記載のシステム。
【請求項７】
一又は複数のネットワーク上でデータを共有する方法であって、
一又は複数のネットワークとの通信を容易にするストレージエリアネットワークを確立することと、
第１ストレージネットワーク接続を介したストレージエリアネットワーク上での第１のコンポーネントとのデータの双方向伝送の経路指定を行うことと、
第２ストレージネットワーク接続を介したストレージエリアネットワーク上での第２のコンポーネントとのデータの双方向伝送の経路指定を行うことと、
第１及び第２のコンポーネントとストレージエリアネットワークとの間でのデータの経路指定を制御することと、
データからメタデータを分離することと、
メタデータを第１のデータベースに保存することと、
メタデータを含まないデータを第２のデータベースに保存することと
を含む方法。
【請求項８】
メタデータを暗号化して、第２のデータベースから分離した第１のデータベースにこのメタデータを保存することを更に含み、第１のデータベースがメタデータデータベースを含んでいる、請求項７に記載の方法。
【請求項９】
メタデータを含まないデータを暗号化して、第１のデータベースから分離した第２のデータベースにこのデータを保存することを更に含む、請求項７に記載の方法。
【請求項１０】
少なくともストレージエリアネットワーク内のデータにアクセスするための一又は複数の許可及び複合キーを制御することを更に含む、請求項７に記載の方法。
【請求項１１】
異なるセキュリティドメインからの、少なくともストレージエリアネットワーク内のデータへのアクセスを制御することを更に含む、請求項７に記載の方法。
【請求項１２】
チャネル切替えメカニズムを制御して、第１のコンポーネント、第２のコンポーネント、第１のデータベース、及び第２のデータベースの間におけるデータの経路指定を行うことを更に含む、請求項７に記載の方法。
【請求項１３】
チャネル切替えメカニズムの一又は複数の共有ストレージネットワークポートを制御することと、
チャネル切替えメカニズムの一又は複数の共有ストレージネットワークポートの使用をモニタリングすることと
を更に含む、請求項１２に記載の方法。
【請求項１４】
共有ストレージネットワークポートをオンにして使用可能にすることと、
使用しないときに共有ストレージネットワークポートをオフにすることと
を更に含む、請求項１３に記載の方法。
【請求項１５】
コンピュータで読み取り可能な一又は複数の媒体にエンコードされて、実行されると一又は複数のネットワーク上でデータを共有するように動作可能であるソフトウェアであって、更に、
一又は複数のネットワークとの通信を容易にするストレージエリアネットワークを確立し、
第１のストレージネットワーク接続を介したストレージエリアネットワーク上での第１のコンポーネントとのデータの双方向伝送の経路指定を行い、
第２のストレージネットワーク接続を介したストレージエリアネットワーク上での第２のコンポーネントとのデータの双方向伝送の経路指定を行い、
第１及び第２のコンポーネントとストレージエリアネットワークとの間のデータの経路指定を制御し、
データからメタデータを分離し、
メタデータを第１のデータベースに保存し、
メタデータを含まないデータを第２のデータベースに保存する
ように動作可能であるソフトウェア。
【手続補正２】
【補正対象書類名】明細書
【補正対象項目名】００７７
【補正方法】変更
【補正の内容】
【００７７】
上述の実施形態は、本発明を説明するものであって、制限するものではない。また、本発明の理念に従って、多数の修正及び変形が可能である。したがって、本発明の範囲は特許請求の範囲によって規定されるものである。
また、本願は以下に記載する態様を含む。
（態様１）
一又は複数のネットワーク上でデータを共有するためのシステムであって、
一又は複数のネットワークと通信するストレージエリアネットワークと、
第１のストレージネットワーク接続を介してストレージエリアネットワークとのデータの双方向伝送の経路指定を行う第１のコンポーネントと、
第２のストレージネットワーク接続を介してストレージエリアネットワークとのデータの双方向伝送の経路指定を行う第２のコンポーネントと、
第１及び第２のコンポーネントとストレージエリアネットワークとの間におけるデータの経路指定を制御するゲートウェイコンポーネントと、
データからメタデータを分離し、このメタデータを第１のデータベースに保存し、そしてメタデータを含まないデータを第２のデータベースに保存するメタデータコントローラと
を備えるシステム。
（態様２）
メタデータコントローラが、メタデータを暗号化して、第２のデータベースから分離した第１のデータベースにこのメタデータを保存するものであり、第１のデータベースはメタデータデータベースを含んでいる、態様１に記載のシステム。
（態様３）
メタデータコントローラが、メタデータを含まないデータを暗号化して、第１のデータベースから分離した第２のデータベースにこのデータを保存する、態様１に記載のシステム。
（態様４）
第１及び第２のデータベースがＲＡＩＤ記憶装置を含んでいる、態様１に記載のシステム。
（態様５）
ゲートウェイコンポーネントが、少なくともストレージエリアネットワーク内のデータにアクセスするための一又は複数の許可及び複合キーを制御するセキュリティゲートウェイコンポーネントを含んでいる、態様１に記載のシステム。
（態様６）
ゲートウェイコンポーネントが、異なるセキュリティドメインから少なくともストレージエリアネットワーク内のデータにアクセスを制御する多重レベルセキュアゲートウェイコンポーネントを含んでいる、態様１に記載のシステム。
（態様７）
ストレージエリアネットワークへの第１及び第２のストレージネットワーク接続のうちの少なくとも一方が、ファイバーチャネルネットワーク接続を含んでいる、態様１に記載のシステム。
（態様８）
データが多重レベルセキュリティデータを含んでおり、ストレージエリアネットワークが、第１のデータベースから分離した第２のデータベースに多重レベルセキュリティデータを保存する、態様１に記載のシステム。
（態様９）
メタデータコントローラが、第１及び第２のコンポーネントと、第１及び第２のデータベースと、ストレージエリアネットワークとの間におけるデータの経路指定を制御するメタデータサーバを含んでいる、態様１に記載のシステム。
（態様１０）
メタデータコントローラが、第１及び第２のデータベースと個別に通信する複数のメタデータホスト−バスアダプタを含んでいる、態様１に記載のシステム。
（態様１１）
第１のコンポーネントが、ストレージエリアネットワークと通信して第１のストレージネットワーク接続を介したストレージエリアネットワークとのデータの双方向伝送の経路指定を行うネットワークサーバを含んでいる、態様１に記載のシステム。
（態様１２）
第２のコンポーネントが、ストレージエリアネットワークと通信して第２のストレージネットワーク接続を介したストレージエリアネットワークとのデータの双方向伝送の経路指定を行う第２のサーバを含んでいる、態様１に記載のシステム。
（態様１３）
メタデータコントローラと、第１のコンポーネント、第２のコンポーネント、第１のデータベース、及び第２のデータベースのうちの一又は複数との間におけるデータの経路指定を行うチャネル切替えメカニズムを更に備えている、態様１に記載のシステム。
（態様１４）
チャネル切り替えメカニズムが、メタデータコントローラによって制御される一又は複数の共有ストレージネットワークポートを備えており、この共有ストレージネットワークポートの使用がメタデータコントローラによってモニタリングされる、態様１３に記載のシステム。
（態様１５）
共有ストレージネットワークポートは、メタデータコントローラによってオンにされて使用可能となり、使用しないときはメタデータコントローラによってオフにされる、態様１４に記載のシステム。
（態様１６）
一又は複数のネットワーク上でデータを共有する方法であって、
一又は複数のネットワークとの通信を容易にするストレージエリアネットワークを確立することと、
第１ストレージネットワーク接続を介したストレージエリアネットワーク上での第１のコンポーネントとのデータの双方向伝送の経路指定を行うことと、
第２ストレージネットワーク接続を介したストレージエリアネットワーク上での第２のコンポーネントとのデータの双方向伝送の経路指定を行うことと、
第１及び第２のコンポーネントとストレージエリアネットワークとの間でのデータの経路指定を制御することと、
データからメタデータを分離することと、
メタデータを第１のデータベースに保存することと、
メタデータを含まないデータを第２のデータベースに保存することと
を含む方法。
（態様１７）
メタデータを暗号化して、第２のデータベースから分離した第１のデータベースにこのメタデータを保存することを更に含み、第１のデータベースがメタデータデータベースを含んでいる、態様１６に記載の方法。
（態様１８）
メタデータを含まないデータを暗号化して、第１のデータベースから分離した第２のデータベースにこのデータを保存することを更に含む、態様１６に記載の方法。
（態様１９）
少なくともストレージエリアネットワーク内のデータにアクセスするための一又は複数の許可及び複合キーを制御することを更に含む、態様１６に記載の方法。
（態様２０）
異なるセキュリティドメインからの、少なくともストレージエリアネットワーク内のデータへのアクセスを制御することを更に含む、態様１６に記載の方法。
（態様２１）
チャネル切替えメカニズムを制御して、第１のコンポーネント、第２のコンポーネント、第１のデータベース、及び第２のデータベースの間におけるデータの経路指定を行うことを更に含む、態様１６に記載の方法。
（態様２２）
チャネル切替えメカニズムの一又は複数の共有ストレージネットワークポートを制御することと、
チャネル切替えメカニズムの一又は複数の共有ストレージネットワークポートの使用をモニタリングすることと
を更に含む、態様２１に記載の方法。
（態様２３）
共有ストレージネットワークポートをオンにして使用可能にすることと、
使用しないときに共有ストレージネットワークポートをオフにすることと
を更に含む、態様２２に記載の方法。
（態様２４）
コンピュータで読み取り可能な一又は複数の媒体にエンコードされて、実行されると一又は複数のネットワーク上でデータを共有するように動作可能であるソフトウェアであって、更に、
一又は複数のネットワークとの通信を容易にするストレージエリアネットワークを確立し、
第１のストレージネットワーク接続を介したストレージエリアネットワーク上での第１のコンポーネントとのデータの双方向伝送の経路指定を行い、
第２のストレージネットワーク接続を介したストレージエリアネットワーク上での第２のコンポーネントとのデータの双方向伝送の経路指定を行い、
第１及び第２のコンポーネントとストレージエリアネットワークとの間のデータの経路指定を制御し、
データからメタデータを分離し、
メタデータを第１のデータベースに保存し、
メタデータを含まないデータを第２のデータベースに保存する
ように動作可能であるソフトウェア。